(57)【要約】【課題】ドアスコープのレンズをドライバー等で突き破り針金等を挿入して不正解錠のサムターン回しに利用されないないよう部屋内側にしっかりとした遮蔽機構の付いたドアスコープを提供する。【解決手段】レンズ支持筒８の化粧縁部７とスコープカバー１１の縁部１０がドア本体３を両側より挟着する形状にてドアスコープ６が取り付けられる構成とし、該ドアスコープ６のドア本体３の部屋内側１６に設けられるスコープカバー１１の縁部１０とドア内部側壁面１７間に蓋体支持枠１２と該蓋体支持枠１２に保持され任意に開閉可能なドアスコープ蓋体１３、または取り外し装着可能なドアスコープ蓋体１３を設けた。【選択図】図３
2005098015.tif 000002
【特許請求の範囲】
【請求項１】
ドアスコープは化粧縁部を有するレンズ支持筒とドライバー係合溝を刻設された縁部を有するスコープカバーを備え、
該レンズ支持筒とスコープカバーをドア本体に取り付けるに際しドア本体に貫通穴を穿ちドア本体の外部側よりレンズ支持筒を挿着し、
該ドア本体の部屋内側よりスコープカバーを挿着し前記ドライバー係合溝に工具を係合して回動せしめ前記レンズ支持筒とスコープカバーをドア本体の貫通孔内で互いに螺着し、
該レンズ支持筒の化粧縁部とスコープカバーの縁部がドア本体を両側より挟着する形状にてドアスコープが取り付けられる構成となし、
該ドアスコープのドア本体部屋内側に設けられるスコープカバーの縁部とドア内部側壁面間に蓋体支持枠と該蓋体支持枠に保持され任意に開閉可能なスコープ蓋体、または任意に蓋体支持枠より取り外し装着可能なスコープ蓋体を設けたことを特徴とするマンション扉等のドアスコープ。
【請求項２】
前期ドアの部屋内側に設けられる蓋体支持枠はドア内部側壁面に当接する取付基板を有し、該取付基板に前記スコープカバーの縁部に係合し挟持される切欠部とドアスコープ蓋体を両側で摺動自在に支持できる摺動溝部を設け、該摺動溝部に摺動操作によりドアスコープの開閉が可能なスコープ蓋体を装着したことを特徴とする請求項１記載のマンション扉等のドアスコープ。
【請求項３】
前期ドアの部屋内側に設けられる蓋体支持枠はドア内部側壁面に当接する取付基板を有し、該取付基板に前記スコープカバーの縁部が貫通可能なルーズホールと、該ルーズホールに連繋し前記スコープカバーの縁部が係合し挟持される切欠部とを設けたことを特徴とする請求項１または請求項２記載のマンション扉等のドアスコープ。
【請求項４】
前期ドアの部屋内側に設けられる蓋体支持枠はドア内部側壁面に当接する取付基板を有し、該取付基板に前記スコープカバーの筒部が貫通可能な取付孔を穿設し、該取付孔にスコープカバーの筒部を貫通したのちスコープレンズ支持筒とスコープカバーを扉貫通孔内で互いに螺着して前記蓋体支持枠をドア内部側壁面とスコープカバー縁部間に取り付けた請求項１乃至請求項３記載のマンション扉等のドアスコープ。
【発明の詳細な説明】
【技術分野】
【０００１】
本発明はマンション等における玄関扉に付設される防犯用ドアスコープに関するものである。
【背景技術】
【０００２】
マンション等における玄関扉に付設されるドアスコープは、訪問者をドアスコープにて覗き見て確認し、玄関扉を開けるために使用されているものである。
【０００３】
然しながら、最近、ドアスコープのレンズをドライバー等で突き破り針金等を挿入して不正解錠するサムターン回しや、外部側よりドアスコープを利用して室内を覗き見たり、ドアスコープからの明かり漏れで在宅を確認するしつこい販売員やストーカーが横行するようになり、上記犯罪行為に対処する機構が付加されたドアスコープの製品化が必要になってきた。
【発明の開示】
【発明が解決しようとする課題】
【０００４】
本発明が解決しようとする課題は、ドアスコープのレンズをドライバー等で突き破り針金等を挿入して不正解錠のサムターン回しに利用されないないよう部屋内側にしっかりとした遮蔽機構の付いたドアスコープを提供することである。
【０００５】
そして本発明のドアスコープ遮蔽機構は、部屋内側では簡単に開閉操作が可能で外部側よりドアスコープを利用して室内を覗き見たり、ドアスコープからの明かり漏れで在宅を確認されることのない機構を具備している。
【０００６】
また、本発明のドアスコープ遮蔽機構部分は、既存のドアスコープにも簡単に取付可能な構成を有しており、ドアスコープの付属部品としても単独で販売できる新しい防犯商品提供する。
【課題を解決するための手段】
【０００７】
本発明は、マンション等の玄関扉に設置されるドアスコープで、該ドアスコープは化粧縁部を有するレンズ支持筒とドライバー係合溝を刻設された縁部を有するスコープカバーを備えている。
【０００８】
前記レンズ支持筒とスコープカバーをドア本体に取り付けるにあたりドア本体に貫通穴を穿ちドア本体の外部側よりレンズ支持筒を挿着し、該ドア本体の部屋内側よりスコープカバーを挿着して前記ドライバー係合溝に工具を係合して回動せしめ前記レンズ支持筒とスコープカバーをドア本体の貫通孔内で互いに螺着して取り付けるものである。
【０００９】
而して、レンズ支持筒の化粧縁部とスコープカバーの縁部がドア本体を両側より挟着する形状にてドアスコープが取り付けられる構成となし、該ドアスコープのドア部屋内側に設けられるスコープカバーの縁部とドア内部側壁面間に蓋体支持枠と該蓋体支持枠に保持され任意に開閉可能なスコープ蓋体、または任意に蓋体支持枠より取り外し装着可能なスコープ蓋体からなるドアスコープ遮蔽機構を設けたことを最も主要な特徴とする。
【発明の効果】
【００１０】
本発明は上記構成を実施することにより、ドアスコープのレンズをドライバー等で突き破り針金等を挿入して不正解錠するサムターン回しに利用されない堅牢でしっかりとした遮蔽機構を部屋内側に具備したドアスコープを提供することができた。
【００１１】
そして本発明のドアスコープ遮蔽機構は、部屋内側では簡単に開閉操作が可能で外部側より該ドアスコープを利用して室内を覗き見たり、ドアスコープからの明かり漏れで在宅を確認されることのない機構を提供することができた。
【００１２】
また、本発明のドアスコープ遮蔽機構部分は、既存のドアスコープにも簡単に後付け可能な構成を有しており、ドアスコープの付属部品としても単独で販売できる新しい防犯用商品を提案することができた。
【発明を実施するための最良の形態】
【００１３】
本発明のドアスコープは化粧縁部を有するレンズ支持筒とドライバー係合溝を刻設された縁部を有するスコープカバーを備え、該レンズ支持筒とスコープカバーをドア本体に取り付けるにあたりドア本体に貫通穴を穿ちドア本体の外部側よりレンズ支持筒を挿着し、該ドア本体の部屋内側よりスコープカバーを挿着して前記ドライバー係合溝に工具を係合して回動せしめ前記レンズ支持筒とスコープカバーをドア本体の貫通孔内で互いに螺着し、該レンズ支持筒の化粧縁部とスコープカバーの縁部がドア本体を両側より挟着する形状にてドアスコープが取り付けられる構成となし、該ドアスコープの部屋内側に設けられるスコープカバーの縁部とドア内部側壁面間に蓋体支持枠と該蓋体支持枠に保持され任意に開閉可能なドアスコープ蓋体、または任意に蓋体支持枠より取り外し装着可能なドアスコープ蓋体を設けたマンション扉等のドアスコープである。
【００１４】
而して、本発明において前期ドアの部屋内側に設けられる蓋体支持枠は、具体的な構成として、ドア内部側壁面に当接する取付基板を有し、該取付基板に前記スコープカバーの縁部間に係合し挟持される切欠部とドアスコープ蓋体を両側で摺動自在に支持できる摺動溝部を設け、該摺動溝部に摺動操作によりドアスコープの開閉が可能なスコープ蓋体を装着している。
【実施例１】
【００１５】
本発明の実施例１を図１乃至図３に基づき説明する。図１は本発明のドアスコープが設置される位置を説明する斜視説明図、図２は本発明のドアスコープの形状を示す部品図、図３は本発明のドアスコープをドア本体に取り付けた状態を示す要部断面図である。
【００１６】
図１において、１はマンション等の玄関ドアを外部側より示しており、２はドア枠、３はドア本体、４は錠前、５はレバーハンドル、６は本発明に係るドアスコープである。
【００１７】
ドアスコープ６は、訪問者を該ドアスコープ６にて覗き見て確認し、玄関ドア１を開けるために使用されているものであり比較的錠前４の近くに設けられていることが解る。
【００１８】
而して、図２並びに図３は、ドアスコープ６の前面に設けられたレンズをドライバー等で突き破り針金等を挿入してサムターン回しを行う不法侵入者や、外部側よりドアスコープ６を利用して室内を覗き見たり、ドアスコープ６からの明かり漏れで在宅を確認するしつこい販売員やストーカーに対処する本発明のドアスコープ６を示している。
【００１９】
図２並びに図３において、前記ドアスコープ６は、化粧縁部７を有するレンズ支持筒８とドライバー係合溝９a、９bを刻設された縁部１０を有するスコープカバー１１、蓋体支持枠１２、ドアスコープ蓋体１３を備えている。
【００２０】
レンズ支持筒８とスコープカバー１１、並びに蓋体支持枠１２、ドアスコープ蓋体１３をドア本体３に取り付ける際には、ドア本体３に貫通穴１４を穿ちドア本体３の外部側１５よりレンズ支持筒８を挿着し、ドア本体３の部屋内側１６よりスコープカバー１１を挿着してドライバー係合溝９a、９bにドライバー等の工具を係合して回動せしめ、前記レンズ支持筒８とスコープカバー１１をドア本体３の貫通孔１４内で互いに螺着し、レンズ支持筒８の化粧縁部７とスコープカバー１１の縁部１０がドア本体３を両側より挟着する形状にてドアスコープ６が図３に示す如く取り付けられている。
【００２１】
而して、ドアスコープ６の部屋内側１６に設けられるスコープカバー１１の縁部１０とドア本体３の内部側壁面１７間には、蓋体支持枠１２が挟持され、該蓋体支持枠１２には、蓋体支持枠１２に保持され任意に開閉可能なドアスコープ蓋体１３が摺動自在に装着されている。
【００２２】
前期ドア本体３の部屋内側１６に設けられる蓋体支持枠１２は、ドア内部側壁面１７に当接する取付基板１８を有し、該取付基板１８はスコープカバー１１の縁部１０に係合し、該縁部１０とドア内部壁面１７間とに挟持される切欠部１９が設けられている。
【００２３】
蓋体支持枠１２は前記ドア本体３の貫通穴１４内で螺着されるレンズ支持筒８とスコープカバー１１を完全に固着する前に、前記切欠部１９をスコープカバー１１の縁部１０に係合してスコープカバー１１のドライバー係合溝９a、９bにドライバー等の工具を係合して回動せしめ、前記レンズ支持筒８とスコープカバー１１をドア本体３の貫通孔１４内で互いに螺着すると共に縁部１０とドア内部側壁面１７間に固着される構成で、本発明は前記構成を採用することにより、既存のドアスコープ６にあっても、後付けにて、蓋体支持枠１２とドアスコープ蓋体１３が何時でも簡単に取付することができる。
【００２４】
また、蓋体支持枠１２には、ドアスコープ蓋体１３を両側で摺動自在に支持できる摺動溝部２０a、２０bを設けており、該両側の摺動溝２０a、２０b内に嵌着されたドアスコープ蓋体１３を把手２１により摺動操作することにより、ドアスコープ６の開閉が可能なドアスコープ蓋体１３を装着可能とした。
【００２５】
尚、ドアスコープ蓋体１３は上部に摺動すると把手２１が前記蓋体支持枠１２に設けられたストッパー２２a、２２b突き当たり係止されるが、該ストッパー２２a、２２bはドアスコープ蓋体１３を蓋体支持枠１２に付着させいるものではなく、簡単な操作で蓋体支持枠１２から離脱または装着を行える。
【００２６】
斯くして、本発明の実施例１は、ドアスコープ６に対して、ドア部屋内側１６で両側を摺動自在に保持したドアスコープ蓋体１３を配置しており、ドアスコープ６の前面に設けられたレンズをドライバー等で突き破られても針金等を挿入して不正解錠のサムターン回しに利用されない堅牢でしっかりとした遮蔽機構を部屋内側１６に具備したドアスコープを提供することができた。
【００２７】
また、実施例１は、通常、上記遮蔽機構となるドアスコープ蓋体１３にて部屋内側１６で閉鎖されており、明かり漏れによる在宅の確認や、内部を覗かれることを防止でき、防犯上非常に有益な装置を提供できた。
【００２８】
更に、実施例１は、ドアスコープ蓋体１３を保持する蓋体支持枠１２が、取付基板１８を有しており、該取付基板１８に設けられた切欠部１９が、レンズ支持筒８とスコープカバー１１を完全に螺着する前のドア内部側壁面１７とスコープカバー１１の縁部１０間の間隙部に嵌合される構成を採用している。
【００２９】
従って、前記蓋体支持枠１２の切欠部１９をドア内部側壁面１７とスコープカバー１１の縁部１０間の間隙部に嵌合した後に前記レンズ支持筒８とスコープカバー１１の螺着を完了させれば、ドア内部側壁面１７側に蓋体支持枠１２が固着される構成で、既にドア本体３に取付られている既存のドアスコープ６にあっても、該ドアスコープ６のレンズ支持筒８とスコープカバー１１の螺着を緩めれば、所謂、後付工法にてドアスコープ蓋体１３を保持する蓋体支持枠１２を簡単に取付することができる。
【実施例２】
【００３０】
図４は実施例２を説明する部品分解図である。図４に於いて図１乃至図３と同一符号は同一構成要素を示しており、７は化粧縁部、８はレンズ支持筒、１０は
スコープカバー１１の端部に設けられた縁部、9a、９bは該縁部１０に刻設されたドライバー係合溝、１２は蓋体支持枠、１３はドアスコープ蓋体をそれぞれ示している。
【００３１】
本発明の実施例２において、ドアの部屋内側に設けられる蓋体支持枠１２はドア内部側壁面１７に当接する取付基板１８を有し、該取付基板上１８に前記スコープカバー１１の縁部１０が貫通可能で縁部１０の外径より多少大きめのルーズホール２３と、該ルーズホール２３に連繋し前記スコープカバー１１の縁部１０が係合し挟持される切欠部２４とを設けている。
【００３２】
而して、実施例２においても、ドアスコープ蓋体１３を保持する蓋体支持枠１２が、取取付基板１８に設けられたルーズホール２３と切欠部２４を利用して、レンズ支持筒８とスコープカバー１１を完全に螺着する前のドア内部側壁面１７とスコープカバー１１の縁部１０間の間隙部に嵌合される構成を成している。
【００３３】
従って、前記蓋体支持枠１２の切欠部２４をドア内部側壁面１７とスコープカバー１１の縁部１０間の間隙部に嵌合した後に前記レンズ支持筒８とスコープカバー１１の螺着を完了させれば、ドア内部側壁面１７側に蓋体支持枠１２が固着される構成で、既にドア本体３に取付られている既存のドアスコープ６にあっても、該ドアスコープ６のレンズ支持筒８とスコープカバー１１の螺着を緩めれば、所謂、後付工法にてドアスコープ蓋体１３を保持する蓋体支持枠１２を簡単に取付することができ実施例１と同様の効果が得られる。
【実施例３】
【００３４】
図５は実施例３を説明する部品分解図である。図５に於いて図１乃至図４と同一符号は同一構成要素を示しており、７は化粧縁部、８はレンズ支持筒、１０は
スコープカバー１１の端部に設けられた縁部、9a、９bは該縁部１０に刻設されたドライバー係合溝、１２は蓋体支持枠、１３はドアスコープ蓋体をそれぞれ示している。
【００３５】
本発明の実施例３において、ドアの部屋内側１６に設けられる蓋体支持枠１２はドア内部側壁面１７に当接する取付基板１８を有し、該取付基板１８に前記スコープカバー１１の筒部外径が貫通可能な取付孔２５を穿設し、該取付孔２５にスコープカバー１１の筒部を貫通したのちレンズ支持筒８とスコープカバー１１を扉貫通孔１４内で互いに螺着して前記蓋体支持枠１２をドア内部側壁面１７とスコープカバー１１の縁部１０間に取り付けた。
【００３６】
実施例３は、上記構成上からレンズ支持筒８とスコープカバー１１の螺着を緩める方法では、装着できないが、レンズ支持筒８とスコープカバー１１螺着前に該スコープカバー１１に蓋体支持枠１２を取り付けてしまうことで、実施例１または実施例２と同一の効果が得られる。
【００３７】
斯くして、本発明のドアスコープは化粧縁部７を有するレンズ支持筒８とドライバー係合溝９a、９bを刻設された縁部１０を有するスコープカバー１１を備え、
該レンズ支持筒８とスコープカバー１１をドア本体３に取り付けるに際しドア本体３に貫通穴１４を穿ちドア本体３の外部側１５よりレンズ支持筒８を挿着し、
該ドア本体３の部屋内側１６よりスコープカバー１１を挿着して前記ドライバー係合溝９a、９bに工具を係合して回動せしめ前記レンズ支持筒８とスコープカバー１１をドア本体３の貫通孔１４内で互いに螺着し、
該レンズ支持筒８の化粧縁部７とスコープカバー１１の縁部１０がドア本体３を両側より挟着する形状にてドアスコープ６が取り付けられる構成となし、
該ドアスコープ６のドア本体３の部屋内側１６に設けられるスコープカバー１１の縁部１０とドア内部側壁面１７間に蓋体支持枠１２と該蓋体支持枠１２に保持され任意に開閉可能なドアスコープ蓋体１３、または任意に蓋体支持枠１２より取り外し装着可能なドアスコープ蓋体１３を設けたマンション扉等のドアスコープを提供できた。
【００３８】
本発明において、前期ドア本体３の部屋内側１６に設けられる蓋体支持枠１２はドア内部側壁面１７に当接する取付基板１８を有し、該取付基板１８に前記スコープカバー１１の縁部１０に係合し挟持される切欠部１９とドアスコープ蓋体１３を両側で摺動自在に支持できる摺動溝部２０a、２０bを設け、該摺動溝部２０a、２０bに摺動操作によりドアスコープ６の開閉が可能なドアスコープ蓋体１３を装着したマンション扉等のドアスコープ開閉機構を具備した。
【００３９】
本発明の他の実施例として、前期ドア本体３の部屋内側１６に設けられる蓋体支持枠１２はドア内部側壁面１７に当接する取付基板１８を有し、該取付基板１８に前記スコープカバー１１の縁部１０の外径が貫通可能なルーズホール２３と、該ルーズホール２３に連繋し前記スコープカバー１１の縁部１０が係合し挟持される切欠部２４とを設けたマンション扉等のドアスコープ開閉機構を提案した。
【００４０】
また、本発明は実施例として、前期ドア本体３の部屋内側１６に設けられる蓋体支持枠１２はドア内部側壁面１７に当接する取付基板１８を有し、該取付基板１８に前記スコープカバー１１の筒部が貫通可能な取付孔２５を穿設し、該取付孔２５にスコープカバー１１の筒部を貫通したのちレンズ支持筒８とスコープカバー１１を扉貫通孔１４内で互いに螺着して前記蓋体支持枠１２をドア内部側壁面１７とスコープカバー１１の縁部１０間に取り付けたマンション扉等のドアスコープ機構を提案している。
【産業上の利用可能性】
【００４１】
本発明は、上述の如くドアスコープのレンズをドライバー等で突き破り針金等を挿入して不正解錠のサムターン回しに利用されない堅牢でしっかりとした遮蔽機構を部屋内側に具備したドアスコープを提供することができた。
【００４２】
そして本発明のドアスコープ遮蔽機構は、部屋内側では簡単に開閉操作が可能で外部側より該ドアスコープを利用して室内を覗き見たり、ドアスコープからの明かり漏れで在宅を確認されることのない機構を提供することができた。
【００４３】
また、本発明のドアスコープ遮蔽機構部分は、既存のドアスコープにも簡単に後付け可能な構成を有しており、ドアスコープの付属部品としても単独で販売できる新しい防犯用商品を提案するもので産業上の利用価値は著しく大きい。
【図面の簡単な説明】
【００４４】
【図１】本発明のドアスコープ設置状況を示す斜視説明図である。
【図２】本発明のドアスコープの形状を説明する部品図である。
【図３】本発明のドアスコープをドア本体に取付た状態を示す要部断面図であ          る。
【図４】本発明の実施例２を説明する部品図である。
【図５】本発明の実施例３を説明する部品図である。
【符号の説明】
【００４５】
１  玄関ドア
２  ドア枠
３  ドア本体
４  錠前
５  レバーハンドル
６  ドアスコープ
７  化粧縁部
８  レンズ支持筒
９a、９b  ドライバー係合溝
１０  縁部
１１  スコープカバー
１２  蓋体支持枠
１３  ドアスコープ蓋体
１４  貫通孔
１５  ドア外部側
１６  部屋内側
１７  内部側壁面
１８  取付基板
１９  切欠部
２０a、２０b  摺動溝部
２１  把手
２２a、２２b  ストッパー
２３  ルーズホール
２４  切欠部
２５  取付孔
【図１】
2005098015.tif 000003
【図２】
2005098015.tif 000004
【図３】
2005098015.tif 000005
【図４】
2005098015.tif 000006
【図５】
2005098015.tif 000007